(57)【要約】【課題】ネットワークに接続される機器の使い勝手を向上させる。【解決手段】ネットワーク１０には、コンテンツを蓄積しているサーバ１００及びサーバ１０１が接続されており、サーバ１００内に蓄積されているコンテンツのコンテンツリストと、サーバ１０１内に蓄積されているコンテンツのコンテンツリストとが夫々の機器内にて生成される。その後、これらのコンテンツリストを合成した合成コンテンツリストが生成され、コンテンツリスト生成機能を備えていないクライアント２００は、生成された合成コンテンツリストを用いて、ネットワーク内に存在するコンテンツの選択、再生を行う。【選択図】　図１
2004128597.tif 000002
【特許請求の範囲】
【請求項１】
自機内に蓄積されるコンテンツのリストを第１のコンテンツリストとして生成可能な第１の機器と、自機内に蓄積されるコンテンツのリストを第２のコンテンツリストとして生成可能な第２の機器と、前記第１及び第２の機器内に蓄積されるコンテンツを再生することのできる第３の機器とがネットワークを介して接続されるコンテンツ再生システムであり、
前記第１の機器内及び前記第２の機器内に設けられ、前記第１のコンテンツリストと前記第２のコンテンツリストとを合成して第３のコンテンツリストを生成する合成リスト生成手段と、
前記第１の機器内及び前記第２の機器内に設けられ、前記合成リスト生成手段が生成した前記第３のコンテンツリストを格納する合成リスト格納手段とを有し、
前記合成リスト格納手段内の前記第３のコンテンツリストは、前記第３の機器から参照可能に設けられていることを特徴とするコンテンツ再生システム。
【請求項２】
ネットワークを介してコンテンツを再生可能な第１の機器と、前記ネットワークを介してコンテンツを再生可能な第２の機器とからなるコンテンツ再生システムであり、
前記第１及び第２の機器の何れか一方の機器からコンテンツの再生を開始し、該コンテンツの再生を中断した際に、再生が中断されたコンテンツを識別するためのコンテンツ識別情報及び該コンテンツの蓄積機器を識別するための蓄積機器識別情報を生成する生成手段を有し、
前記第１及び第２の機器における他方の機器にて該コンテンツの再生を行う際には、前記生成手段が生成した前記コンテンツ識別情報及び前記蓄積機器識別情報に基づき、該コンテンツの再生の中断箇所からの継続再生を可能に構成されることを特徴とするコンテンツ再生システム。
【発明の詳細な説明】
【０００１】
【発明の属する技術分野】
本発明は、動画（Ｍｐｅｇ２）、静止画（Ｂｍａｐ）、音声（ＭＰ３）などのコンテンツ（データ）を記録再生可能な家庭内のコンテンツ再生システムに係り、特に、家庭内にネットワークを構成し、このネットワークに接続される複数の機器に分散して記録されているコンテンツを、所望の装置、所望の場所で再生可能なコンテンツ再生システムに関するものである。
【０００２】
【従来の技術】
従来より、ネットワークに接続される装置間では、他の装置に記録されているコンテンツを取得したり、取得したコンテンツを再生したりすることが可能であった。その際、図１１に示すように、ネットワークに接続された装置ごとに蓄積されるコンテンツの一覧は、コンテンツリスト（例えば、曲名の一覧）として表示され、このコンテンツリストを参照して所望のコンテンツが指定されたり、そのコンテンツの再生が行われた。
【０００３】
また、従来より、ＣＤやＤＶＤ等の再生装置はブックマーク機能を有していた。このブックマーク機能によれば、あるコンテンツを再生中にこのコンテンツの再生を中断させ、電源を切っても、再生を中断した箇所を示す情報が自動的にメモリなどに記憶される。従って、再度、同一コンテンツを再生した際に、例えば、図１２に示すように、前回の中断箇所（停止時間ｔ）から再生が可能となり、コンテンツの続き部分を継続再生して見ることができた。
【０００４】
【特許文献１】
特開２００２―８３４８５号公報
【特許文献２】
特開２００２―４４５８６号公報
【０００５】
【発明が解決しようとする課題】
ところが、このような従来のコンテンツリスト表示方法によれば、ネットワークに接続された装置ごとに蓄積されるコンテンツの一覧が表示されるため、必ずしも使い勝手が良くなかった。特に、装置の数が多くなると、コンテンツの選択に時間がかかるという問題があった。また、従来のブックマーク機能は、単独の装置内でのみ利用可能なものであったため、ネットワーク構成されたコンテンツ再生システムに適応しておらず、使い勝手が良くなかった。
【０００６】
そこで本発明は、コンテンツを提供する装置を意識することなく、所望のコンテンツを選択再生できるコンテンツ再生システムを提供することを目的とする。
また、ネットワークに接続される他の装置に対してもブックマーク機能を利用できるようにしたコンテンツ再生システムを提供することを目的とする。
【０００７】
【課題を解決するための手段】
以上の課題を解決するために、本発明に係るコンテンツ再生システムは、
自機内に蓄積されるコンテンツのリストを第１のコンテンツリストとして生成可能な第１の機器と、自機内に蓄積されるコンテンツのリストを第２のコンテンツリストとして生成可能な第２の機器と、前記第１及び第２の機器内に蓄積されるコンテンツを再生することのできる第３の機器とがネットワークを介して接続されるコンテンツ再生システムであり、
前記第１の機器内及び前記第２の機器内に設けられ、前記第１のコンテンツリストと前記第２のコンテンツリストとを合成して第３のコンテンツリストを生成する合成リスト生成手段と、
前記第１の機器内及び前記第２の機器内に設けられ、前記合成リスト生成手段が生成した前記第３のコンテンツリストを格納する合成リスト格納手段とを有し、
前記合成リスト格納手段内の前記第３のコンテンツリストは、前記第３の機器から参照可能に設けられていることを特徴とするものである。
【０００８】
また、本発明に係るコンテンツ再生システムは、
ネットワークを介してコンテンツを再生可能な第１の機器と、前記ネットワークを介してコンテンツを再生可能な第２の機器とからなるコンテンツ再生システムであり、
前記第１及び第２の機器の何れか一方の機器からコンテンツの再生を開始し、該コンテンツの再生を中断した際に、再生が中断されたコンテンツを識別するためのコンテンツ識別情報及び該コンテンツの蓄積機器を識別するための蓄積機器識別情報を生成する生成手段を有し、
前記第１及び第２の機器における他方の機器にて該コンテンツの再生を行う際には、前記生成手段が生成した前記コンテンツ識別情報及び前記蓄積機器識別情報に基づき、該コンテンツの再生の中断箇所からの継続再生を可能に構成されることを特徴とするコンテンツ再生システム。
【０００９】
【発明の実施の形態】
次に、本発明の一実施の形態について、図面と共に説明する。図１に示すように、本実施例に係るコンテンツ再生システムは、主としてコンテンツを記録再生しコンテンツを他者（相手方）に提供するサーバ（メディアバンク）１００及び１０１と、主としてサーバからコンテンツの提供を受けて再生するクライアント（シンプルクライアント）２００及び２０１と、やはり、クライアントとして機能する携帯端末（ＰＤＡ）２０２などから構成されている。
【００１０】
なお、ネットワーク１０は、イーサーネット（登録商標）等による有線ＬＡＮ、規格８０２．１１ｂよる無線ＬＡＮなどによりサーバやクライアント、携帯端末等を接続するものである。また、３００は外部のインターネットに接続されたルータ、３０１はネットワーク１０に接続された無線ＬＡＮアクセスポイントである。
更に、１００ａ、１０１ａ、２００ａは、夫々の機器に設けられる表示部（ディスプレイ）である。
【００１１】
前記サーバ１００（１０１）は、図２（Ａ）に示すように、ＣＰＵ１００Ｃ、メモリ１００Ｍ、ハードディスク１００Ｈを備えており、図示しない各フォーマットに対応したエンコーダ・デコーダ、ＬＡＮ・ＵＳＢ・ＩＥＥＥ１３９４・ＩｒＤＡカード（メモリカード）の入出力部、Ａ／Ｖ出力などの各種Ｉ／Ｏ、ＴＶチューナなども備えている。さらに、例えば、ＬｉｎｕｘなどのＯＳ上で、各種のアプリケーションソフトが起動実行されるように、構成されている。なお、１００Ｒはリモコンである。
【００１２】
また、サーバ１００（１０１）は、ハードディスク１００Ｈを有する記録再生装置であり、動画（Ｍｐｅｇ２）、静止画（Ｂｍａｐ）、音声（ＭＰ３）などのコンテンツ（データ）を記録再生可能なサーバである。動画は内蔵されたＴＶチューナにより受信されたＴＶ番組を圧縮記録したものである。静止画はデジタルカメラ（図示せず）などの画像をメモリカードを介して記録されるものである。
音声はインターネットなどの音楽配信や、家庭内のＣＤから再生されたデジタル信号を例えば、ＭＰ３の方式に圧縮記録したものである。これらのコンテンツは表示されたコンテンツリストを参照して、選択的に再生可能である。このコンテンツリストの生成については、後に詳述する。
【００１３】
また、前記クライアント２００（２０１）及び携帯端末２０２は、図２（Ｂ）に示すように、ＣＰＵ２００Ｃ、メモリ２００Ｍを備えており、図示しない各フォーマットに対応したデコーダ、ＬＡＮ・ＩｒＤＡカード（メモリカード）の入出力部など各種Ｉ／Ｏから構成されている。さらに、例えば、ＬｉｎｕｘなどのＯＳ上で、各種のアプリケーションソフトが起動実行されるように、構成されている。ハードディスクなどの大容量の記録部は有せず再生専用機として簡易に構成されている。
【００１４】
例えば、クライアント２００はＨＤＤなどの記録手段をもたず単にネットワーク端子がついたテレビなどの映像音声再生専用機であり、クライアント２０１はポータブル音楽再生専用装置である。なお、２００ａはクライアント２００に内蔵された表示部（ディスプレイ）、２００Ｒはリモコンである。
【００１５】
これらのクライアント２００（２０１）及び携帯端末２０２は、主として、前記サーバ１００、１０１に記録されたコンテンツをネットワーク１０を介して、選択再生可能である。さらに、クライアント２００（２０１）は、前記サーバ１００、１０１が生成したコンテンツリストを取得して、このコンテンツリストを表示して選択再生可能に構成されている。このコンテンツリストの取得については、後に詳述する。
【００１６】
本実施例に係るコンテンツ再生システムでは、図１に示すように、例えばサーバ１００は居間１、サーバ１０１は居間２、クライアント２００は書斎、クライアント２０１は台所に設置されており、携帯端末２０２は家庭内の所望の場所で移動自在に使用することができるものとする。この家庭のネットワークとして構成されたコンテンツ再生システムでは、家庭内に分散して設置されている機器に記録されているコンテンツを、所望の装置、所望の場所で再生可能である。
【００１７】
そして、居間１にあるサーバ１００で見ていたコンテンツを、途中で、居間１から書斎に場所を替えて、書斎のクライアント２００で続けて見ることも容易に操作可能である。このネットワークコンテンツブックマーク機能についても、後に詳述する。
【００１８】
ところで、家庭内のネットワークでは、複雑な設定作業は期待できない。しかし、ＴＣＰ／ＩＰプロトコル用いたネットワーク上では、ＩＰアドレスなどの設定把握が必要である。さらに、ネットワーク上の機器を認識して、その機器のサービス情報を取得する必要がある。
【００１９】
そこで、本コンテンツ記録再生システムは、例えばＵｐ＆ｐ（ユニーバサルプラグ＆プレイ）などに対応したネットワークシステムとして構成され、サーバ１００、１０１、クライアント２００、２０１、携帯端末（ＰＤＡ）２０２がネットワーク１０に接続されると、サービスディスカバリーが実施される。以下、サービスディスカバリーの構成と動作について説明する。
【００２０】
＜サービスディスカバリー＞
サーバ１００、１０１、クライアント２００、２０１、携帯端末（ＰＤＡ）２０２がネットワーク１０に接続されると、接続された機器は自己のサービス情報（パケット）のマルチキャストを開始し、接続中は一定時間間隔で繰り返すように構成されている。
【００２１】
このように、自己のサービス情報を他者に知らせると共に、他者からマルチキャストされたサービス情報から、当該ネットワークでの機器リストを作成し、各機器のサービス情報を取得できるように、構成されている。サービス情報（パケット）としては、機器固有の情報（ＩＰアドレスやポート番号、ＭＡＣアドレス、シリアルナンバーなど）、サービス内容（後述するコンテンツ提供したり、コンテンツ提供されたりするサーバか、コンテンツの提供を受けるのみのクライアントかを示すサービスタイプ、さらには、動画（Ｍｐｅｇ２）、静止画（Ｂｍａｐ）、音声（ＭＰ３）などのような形態のコンテンツに対応したものであるかなど）がある。
【００２２】
図１に示すコンテンツ再生システム（ネットワークシステム）では、このパケットの交換（サービスディスカバリー）により、図３（Ａ）に示すような機器リストが作成される。このようにして、システムに接続された機器の機器Ｎｏ．（実際にはこの仮想的な機器Ｎｏ．に対応する実体的なＩＰアドレス）と、各機器が提供可能なサービスタイプ（サーバとして機能するか、単なるクライアントとしての機能するか）とが把握される。その後に、サーバとして機能するサーバ１００、１０１間では、コンテンツリストの交換が行なわれ、全体として、再生可能なコンテンツの一覧が作成される。次に、このコンテンツリストの生成について説明する。
【００２３】
＜コンテンツリストの生成＞
前記したように、サービスディスカバリーにより、サーバ１００及びサーバ１０１は、コンテンツの提供が可能なサーバとして認識される。コンテンツが提供可能なサーバ１００、１０１は、自己で記録して再生可能なコンテンツ及びそのリストを常に保持している。例えば、図５（Ａ）及び（Ｂ）に示すように、サーバ１００ではコンテンツａａ１，ａａ２，ａａ３…が記録され再生可能で、サーバ１０１ではコンテンツｂｂ１，ｂｂ２，ｂｂ３…を記録再生可能である。
【００２４】
さらに、これらのコンテンツは自機だけでなく、他の機器からも再生可能である。すなわち、図３（Ｂ）に示すように、各コンテンツファイルについては、コンテンツ名と、そのコンテンツの実体ファイルが存在するアドレス（例えば、ＩＰアドレスが判明した機器名と、その機器におけるディレクトリー・ファイル名）が対応している。したがって、所望のコンテンツを再生するには、そのファイルが存在する機器から対応するファイルを読み出して順次再生すればよい。
【００２５】
自機だけでなく、他の機器のコンテンツを選択再生しやすいように、コンテンツリストが最初に作成される。図４に示すように、例えば、サーバ１０１に対して、コンテンツの提供を求めるサーバ１００が、サービスしてもらえるコンテンツリストを要求する（要求ｍ）。この要求に対して、サーバ１０１は図５（Ｂ）に示されるサービス可能なコンテンツリストを返答する（返答ｎ）。すると、サーバ１００は、図５（Ａ）に示される自機のコンテンツリストと、返答された図５（Ｂ）に示されるコンテンツリストとをマージする。
【００２６】
そして、このマージした図５（Ｃ）に示されるコンテンツリストをもとに、図６（Ａ）示すようにネットワーク全体として再生可能なコンテンツのメニューとして表示する。なお、図６（Ａ）はサーバ１００におけるコンテンツリストの表示例、同図（ｂ）はクライアント２００におけるコンテンツリストの表示例、同図（Ｃ）はクライアント２０１におけるコンテンツリストの表示例を示している。このようなマージ処理の結果、利用者はコンテンツが存在する機器を意識することなく、単純にコンテンツを選択すれば、所望のコンテンツを再生できるようになる。
【００２７】
なお、サーバ１０１もサーバ１００に対してコンテンツリストを要求し（要求ｍ）、サーバ１００からの返答（返答ｎ）に基づき、全体としての再生可能なコンテンツリストがサーバ１０１でも生成される。また、サーバ１０１において、新たなコンテンツが追加記録された時は、自機のコンテンツリストを変更すると共に、コンテンツリストが変更されたことを以前問合せのあった機器に通知する（これはユニキャストの通信でもよい）。すなわち、サーバ１００に変更を通知する。サーバ１００はサーバ１０１に対して再度コンテンツリストを要求し、これに対して、サーバ１０１が返答する。このように、コンテンツに変更があっても、直ちにサーバ１００、１０１のコンテンツリストは最新なものに更新されることになる。
【００２８】
さらに、サーバ１０１がネットワーク１０から切断されると、サーバ１００のコンテンツリストから、サーバ１０１が提供しているコンテンツが削除される。
その際、サーバ１００が再生できるコンテンツは、図５（Ｃ）に示されるものから図５（Ａ）に示されるものに変化するため、コンテンツリストの表示も図６（Ａ）に示されるものからｂｂ１、ｂｂ２、ｂｂ３…が削除されて、ａａ１、ａａ２、ａａ３…のみとなる。
【００２９】
つまり、前記したサービスディスカバリーで詳述したように、サーバ１０１が接続されている状態では、一定時間間隔でサービス情報（パケット）がマルチキャストされているものの、サーバ１０１が切断されるとこのサービス情報（パケット）を受信できなくなるため、サーバ１００は図３（Ａ）に示した機器リストからサーバ１０１を削除することになり、これと同時にコンテンツリストの表示も変更される。
【００３０】
＜コンテンツリストの取得＞
ネットワーク１０に接続される機器には、再生専用のクライアント２００もある。このような機器は、自機にコンテンツリストを生成するＣＰＵ能力がなく、メモリ容量も少ない。例えば、ＨＤＤなどの記録手段をもたず、単にネットワーク端子が設けられるテレビなどの再生専用機がこれに相当する。この場合、サーバ１００（またはサーバ１０１）が生成したコンテンツリストを利用してコンテンツの選択及び再生を行う。
【００３１】
すなわち、図４に示すように、クライアント２００からサーバ１００にコンテンツの全リストを要求をする（要求ｏ）。これに対して、サーバ１００は前記生成したコンテンツリストを返答する（返答ｐ）。クライアント２００は自機の表示能力に合わせて、例えば図６（Ｂ）に示すようにその一部分を順次表示する。
機器の利用者はこの表示を参照してコンテンツを選択し、再生する。
【００３２】
このように、クライアント２００のような再生専用機であっても、サーバとして機能する相手方のサーバ１００で生成した全体としてのコンテンツリストを利用でき、自機己でコンテンツリストを生成する必要がない。この場合、再生能力はあっても、再生に適さないものは表示しないように、コンテンツリストを受け取った機器側で取捨選択しても良い。例えば、テレビなどで、映像がなく音声だけ再生すると不自然に感じる場合は、返答されたコンテンツリストから、例えば、ｍｐ３の音楽のコンテンツリストを除外して、表示しても良い。
【００３３】
さらに、サーバ１００において、コンテンツリストのデータは、図５（Ｄ）に示すように、階層（ツリー）状に再構成される。例えば、同図に示すように、各コンテンツは、歌手名（歌手Ｘ，歌手Ｙ…）毎に分類される。これは、図３（Ｂ）に示すコンテンツファイルに付加情報として歌手名や、ジャンルなどが設けられる場合に利用可能となるものである。
【００３４】
そして、この階層構造に則ってコンテンツリストを一単位（一行分）づづ順次読みだすことも可能である。例えば、クライアント（ポータブル音楽再生専用機等）２０１では、クライアント（再生専用機）２００よりも制約が大きく、例えば、表示部は一行分で、メモリ容量もきわめて小さい。また、操作部も、ゲーム装置にあるようなスクロールキーと実行キーだけである。
【００３５】
このようなクライアント２０１に対しては、図４に示すように、サーバ１００のコンテンツリストをもとに、先頭から順次この階層構造に則ってコンテンツリストの項目を一単位ずつ要求して（要求ｑ）、これに返答する（返答ｒ）。例えば、図５（Ｄ）に示されるコンテンツリストを一単位ずつ要求して再生するコンテンツを決定する場合、図６（Ｃ）に示すように、まず、歌手名を順次表示させ、所望の歌手名を選択することになる。そして、例えば、歌手Ｙが選択された場合には、この歌手Ｙのコンテンツとしてａａ２、ｂｂ１等を順次表示させ、最終的に再生させるコンテンツを選ぶことになる。
【００３６】
以上のような処理により、クライアント（ポータブル音楽再生専用機）２０１のように自機にコンテンツリストを生成する能力がなく、メモリ容量や表示部の制限のあるものでも、他の機器が生成したコンテンツリストを利用し、他の機器に蓄積されるコンテンツを選択して再生することができる。
【００３７】
図５（Ｅ）に示すように、歌手名別（歌手Ｘ，歌手Ｙ…）、曲名別（ア行、カ行…）、ジャンル別（ポップス、ジャズ…）のように複数の観点から階層構造を再構成しても良い。この場合、各コンテンツは、複数の観点で重複して分類される。
【００３８】
また、以上のコンテンツリストの授受に際しては、カテゴリー的に再生可能なコンテンツリストのみを返答しても良い。例えば、音楽再生専用機等のクライアントからのコンテンツリストの要求に対して、コンテンツリスト生成機器側で、例えば、拡張子ｍｐ３の音楽のコンテンツリストのみ選択して返答しても良い。
【００３９】
＜ネットワークコンテンツブックマーク機能＞
次に、ネットワークコンテンツブックマーク機能（以下、単にマーク機能と称する）について説明する。例えば、居間１にあるサーバ１００で、あるコンテンツｂｂ１を見ていたとする。途中で、居間１から書斎に場所を替えて、書斎の装サーバ２００で続けて見るときに最適な機能である。
【００４０】
各機器１００、１０１、２００、２０１、２０２にはブックマーク用のメモリ領域ｍが確保されている。このメモリ領域ｍは、前記図２に示した構成のメモリに確保されているもので、例えば２つブックマーク機能のためには２箇所のエリアが確保されている。
【００４１】
各メモリ領域ｍには、図９に示すように、コンテンツ名、コンテンツ存在場所（アドレス）、視聴時間（前記コンテンツをどこまで見たかを示す視聴時間）が記録可能に構成されている。一方、各機器１００、２００にはリモコン１００Ｒ、２００Ｒが付属しており、コンテンツブックマークボタンＣＢＭ１、ＣＢＭ２が設けられている（前記した図１及び図８参照）。
【００４２】
この居間１のサーバ１００で、まずコンテンツｂｂ１を再生するものとする。
前記したコンテンツリストに示した如く、このコンテンツｂｂ１はサーバ１０１にある。従って、サーバ１００は、サーバ１０１からコンテンツｂｂ１を取得して再生を開始する（コンテンツファイル要求ｍ１とコンテンツファイル取得ｐ１）。すると、図１０に示すように、視聴済み時間が進行する。この視聴済み時間は、再生しているコンテンツの再生時間から把握される。
【００４３】
そして、居間１のサーバ１００での再生を一時中断して、書斎で継続して再生するために、時刻Ｔで、居間１にあるリモコン１００ＲのコンテンツブックマークボタンＣＢＭ１を押す。すると、今まで見ていたコンテンツのコンテンツ名ｂｂ１、このコンテンツがある場所（サーバ１０１とファイルの場所）、コンテンツの視聴済み時間（どこまで見たかを示す時間）がマーク情報ＢＭ１としてサーバ１００のメモリ１００Ｍに記憶される。
【００４４】
同時に、図７に示すように、このマーク情報ＢＭ１は、ブロードキャストまたは、把握されている機器１０１、２００、２０１宛のユニキャストとして伝送される（マーク情報伝送ＭＢ１）。このようにして伝送されたマーク情報ＢＭ１は、各機器１０１、２００、２０１、２０２のメモリ領域ｍに記憶される。
【００４５】
視聴者が書斎に移動し、書斎のリモコン２００Ｒに設けられるコンテンツブックマークボタンＣＢＭ１を押す。クライアント２００には先ほど伝送され、メモリ領域ｍに記憶されたマーク情報ＢＭ１（コンテンツ名ｂｂ１、このコンテンツがある場所、機器１０１、コンテンツの視聴済み時間（どこまで見たか））を参照して、続きの再生を再開する。
【００４６】
すなわち、サーバ１０１からコンテンツｂｂ１を取得して、先ほどの続きを再生する（コンテンツファイル要求ｍ２とコンテンツファイル取得ｐ２）。そして、マーク情報ＢＭ１を開放する。マーク情報ＢＭ１の開放情報（ｒＢＭ１）は、継続再生を開始したクライアント２００から、ブロードキャストまたは、把握されている機器１００、１０１、２０１、２０２宛のユニキャストとして伝送される。開放されたマークＢＭ１は再び利用可能である。
【００４７】
このように、コンテンツブックマーク情報をネットワーク接続された機器に伝送するようにしたので、視聴場所（再生機器）を替えても、継続して再生することが可能である。また、この例では、居間１のサーバ１００での再生を一時中断して、書斎で継続して再生するために、マークボタンＣＢＭ１を押した時に、マーク情報ＢＭ１をブロードキャストした。しかし、例えば、サーバ１００の電源が切られたときに、自動的にマーク情報をブロードキャストするようにしても良い。このように構成すると、何ら操作することなく、異なる部屋の装置で継続再生でき便利である。
【００４８】
なお、ブックマークの設定時に、すでにブックマークボタンが利用されている（押したマークボタンが開放されていない）時には、ブックマークされていないことを警告表示して、すでに設定されているマークを有効のままにしても良い。
また、逆に、警告なしに、常に後のブックマークの設定が有効となるようにしてもよい。また、マークボタンＢＭ１を夫用、マークボタンＢＭ２を妻用のように、視聴者で独立して利用できるように、視聴者の属性でマークボタンを分けても良い。
【００４９】
【発明の効果】
請求項１に係る発明によれば、ネットワークに接続されている第１の機器に蓄積されるコンテンツのコンテンツリストと、第２の機器に蓄積されるコンテンツのコンテンツリストとを合成したコンテンツリストが、第１及び第２の機器内に設けられているため、ネットワークに接続されている第３の機器がコンテンツリストの生成機能を備えていない場合でも、合成して得られたコンテンツリストにより、所望のコンテンツを選択再生できるという効果を奏する。
【００５０】
また、請求項２に係る発明によれば、前記第１及び第２の機器の何れか一方の機器により再生したコンテンツの再生が中断された際に、中断されたコンテンツを識別するためのコンテンツ識別情報及び該コンテンツの蓄積機器を識別するための蓄積機器識別情報を生成されるため、再生を開始した機器と異なる機器から該コンテンツの継続再生を行うことができるという効果を奏する。
【図面の簡単な説明】
【図１】本発明になるコンテンツ再生システムの構成図である。
【図２】図１に示すコンテンツ再生システムを構成するサーバ及びクライアントの構成図である。
【図３】サービスディスカバリーで把握されたサービスの一覧を示す図である。
【図４】本発明になるコンテンツ再生システムの動作説明図である。
【図５】本発明になるコンテンツ再生システムにおけるコンテンツリストの生成を説明する図である。
【図６】本発明になるコンテンツ再生システムにおけるコンテンツリストの表示を説明する図である。
【図７】本発明になるコンテンツ再生システムの他の動作説明図である。
【図８】リモコンの説明図である。
【図９】ネットワークブックマークを説明するためのファイルの説明図である。
【図１０】ネットワークブックマークを説明するための図である。
【図１１】従来のコンテンツリストの表示例を示す図である。
【図１２】従来のブックマーク機能を説明する図である。
【符号の説明】
１０　ネットワーク
１００、１０１　サーバ
２００、２０１　クライアント
２０２　携帯端末
３００　ルータ
【図１】
2004128597.tif 000003
【図２】
2004128597.tif 000004
【図３】
2004128597.tif 000005
【図４】
2004128597.tif 000006
【図５】
2004128597.tif 000007
【図６】
2004128597.tif 000008
【図７】
2004128597.tif 000009
【図８】
2004128597.tif 000010
【図９】
2004128597.tif 000011
【図１０】
2004128597.tif 000012
【図１１】
2004128597.tif 000013
【図１２】
2004128597.tif 000014